(57)【特許請求の範囲】
【請求項１】
電池セルアセンブリーであって、
上部面（top surface）と下部面（bottom surface）を含む第１電池セル（first battery cell）；
上部面と下部面を含む第２電池セル（second battery cell）；
上部面と下部面を含む第３電池セル（thirdbatterycell）；および
第１電池セルに位置し、第１電池セルの上部面と下部面に直接接触する単一包装シート
（unitary wrapping sheet）を含み、
前記単一包装シートは、単一包装シートが第２電池セルの上部面と下部面に直接接触することができるように第２電池セルにさらに位置し；
前記単一包装シートは、単一包装シートが第３電池セルの上部面と下部面に直接接触することができるように第３電池セルにさらに位置し；そして、
前記単一包装シートは、第１電池セルの上部面、第２電池セルの上部面、および第３電池セルの上部面が互いに実質的に平行に維持され得るように第１電池セル、第２電池セル、および第３電池セルが結合された外周部にさらに位置し、結合された外周部を囲んでおり、
前記第１電池セルは、第１端部（first end）と第２端部（second end）をさらに含み；
前記第２電池セルは、第１端部と第２端部をさらに含み；
前記第３電池セルは、第１端部と第２端部をさらに含み；
前記第１電池セルの第１端部、第２電池セルの第１端部、および第３電池セルの第１端部は、実質的に互いに同一の平面に位置し；そして、
前記第１電池セルの第２端部、第２電池セルの第２端部、および第３電池セルの第２端部は、実質的に互いに同一の平面に位置しており、
前記単一包装シートの第１シート部（first sheet portion）は、第１電池セルの上部面に位置し、直接接触し；
前記単一包装シートの第２シート部（second sheet portion）は、第１シート部から延長されており、前記第２シート部は、第１電池セルの第１端部に隣接するように位置し、第１電池セルの第１端部を囲み；
前記単一包装シートの第３シート部（third sheet portion）は、第２シート部から延長されており、前記第３シート部は、第１電池セルの下部面に位置し、直接接触し；
前記単一包装シートの第４シート部（fourth sheet portion）は、第３シート部から延長されており、前記第４シート部は、第１電池セルの第２端部に隣接するように位置し、第１電池セルの第２端部を囲み；
前記単一包装シートの第５シート部（fifth sheet portion）は、第４シート部から延長されており、前記第５シート部は、第１電池セルの上部面と第２電池セルの下部面に位置し、直接接触し；
前記単一包装シートの第６シート部（six sheet portion）は、第５シート部から延長されており、前記第６シート部は、第２電池セルの第１端部に隣接するように位置し、第２電池セルの第１端部を囲み；
前記単一包装シートの第７シート部（seventh sheet portion）は、第６シート部から延長されており、前記第７シート部は、第２電池セルの上部面と第３電池セルの下部面に位置し、直接接触し；
前記単一包装シートの第８シート部（eighth sheet portion）は、第７シート部から延長されており、前記第８シート部は、第３電池セルの第２端部に隣接するように位置し、第３電池セルの第２端部を囲み；そして、
前記単一包装シートの第９シート部（ninth sheet portion）は、第８シート部から延長されており、前記第８シート部は、第３電池セルの上部面に位置し、直接接触することを特徴とする電池セルアセンブリー。
【請求項２】
前記第１電池セル、第２電池セル、および第３電池セルの結合された外周部は、第１電池セルの第１端部と第２端部、第２電池セルの第１端部と第２端部、および第３電池セルの第１端部と第２端部を含むことを特徴とする、請求項１に記載の電池セルアセンブリー。
【請求項３】
前記単一包装シートの第１０シート部（tenth sheet portion）は、第９シート部から延長されており、前記第１０シート部は、第３電池セルの第１端部に隣接するように位置し、第３電池セルの第１端部を囲み、前記第１０シート部は、第６シート部と第２シート部にさらに対面し、
前記単一包装シートの第１１シート部（eleventh sheet portion)は、第１０シート部から延長されており、前記第１１シート部は、第３シート部が第１１シート部と第１電池セルの下部面に位置するように第３シート部に位置し、直接接触しており；
前記単一包装シートの第１２シート部（twelfth sheet portion）は、第１１シート部から延長されており、前記第１２シート部は、第４シート部に対面しており、前記第１２シート部は、第２電池セルの第２端部に隣接するようにさらに位置し、第２電池セルの第２端部をさらに囲み、前記第１２シート部は、第８シート部にさらに対面し；そして
前記単一包装シートの第１３シート部（thirteenth sheet portion）は、第１２シート部から延長されており、前記第１３シート部は、第９シート部が第１３シート部と第３電池セルの上部面の間に位置するように第９シート部に位置し、直接接触していることを特徴とする、請求項１に記載の電池セルアセンブリー。
【請求項４】
電池セルアセンブリーであって、
上部面（top surface）と下部面（bottom surface）を含む第１電池セル（first battery cell）；
上部面と下部面を含む第２電池セル（second battery cell）；
上部面と下部面を含む第３電池セル（thirdbatterycell）；および
第１電池セルに位置し、第１電池セルの上部面と下部面に直接接触する単一包装シート
（unitary wrapping sheet）を含み、
前記単一包装シートは、単一包装シートが第２電池セルの上部面と下部面に直接接触することができるように第２電池セルにさらに位置し；
前記単一包装シートは、単一包装シートが第３電池セルの上部面と下部面に直接接触することができるように第３電池セルにさらに位置し；そして、
前記単一包装シートは、第１電池セルの上部面、第２電池セルの上部面、および第３電池セルの上部面が互いに実質的に平行に維持され得るように第１電池セル、第２電池セル、および第３電池セルが結合された外周部にさらに位置し、結合された外周部を囲んでおり、
前記第１電池セルは、第１端部（first end）と第２端部（second end）をさらに含み；
前記第２電池セルは、第１端部と第２端部をさらに含み；
前記第３電池セルは、第１端部と第２端部をさらに含み；
前記第１電池セルの第１端部、第２電池セルの第１端部、および第３電池セルの第１端部は、実質的に互いに同一の平面に位置し；そして、
前記第１電池セルの第２端部、第２電池セルの第２端部、および第３電池セルの第２端部は、実質的に互いに同一の平面に位置しており、
前記単一包装シートの第１シート部は、第１電池セルの下部面に位置し、直接接触し；
前記単一包装シートの第２シート部は、第１シート部から延長されており、前記第２シート部は、第１電池セルの第２端部に隣接するように位置し、第１電池セルの第１端部を囲み；
前記単一包装シートの第３シート部は、第２シート部から延長されており、前記第３シート部は、第１電池セルの上部面に位置し、直接接触し；
前記単一包装シートの第４シート部は、第３シート部から延長されており、前記第４シート部は、第１電池セルの第１端部に隣接するように位置し、第１電池セルの第１端部を囲み；
前記単一包装シートの第５シート部は、第４シート部から延長されており、前記第５シート部は、第１電池セルの下部面と第１シート部に位置し、直接接触し；
前記単一包装シートの第６シート部は、第５シート部から延長されており、前記第６シート部は、第２シート部が第６シート部と第１電池セルの第２端部の間に位置するように第２シート部に対面して、前記第６シート部は、第２電池セルの第２端部に隣接するように位置し、第２電池セルの第２端部を囲んでおり；
前記単一包装シートの第７シート部は、第６シート部から延長されており、前記第７シート部は、第２電池セルの上部面と第３電池セルの下部面に位置し、直接接触し；
前記単一包装シートの第８シート部は、第７シート部から延長されており、前記第８シート部は、第２電池セルの第１端部に隣接するように位置し、第２電池セルの第１端部をさらに囲み、前記第８シート部は、第４シート部が第８シート部と第１電池セルの第１端部の間に位置するように第４シート部にさらに対面し；
前記単一包装シートの第９シート部は、第８シート部から延長されており、前記第９シート部は、第５シート部が第９シート部と第１電池セルの下部面の間に位置するように第５シート部に位置し、直接接触し；
前記単一包装シートの第１０シート部は、第９シート部から延長されており、前記第１０シート部は、第６シート部が第１０シート部と第２シート部の間に位置するように第６シート部に位置し、直接接触しており、前記第１０シート部は、第３電池セルの第２端部に隣接するように位置し、第３電池セルの第２端部をさらに囲み；
前記単一包装シートの第１１シート部は、第１０シート部から延長されており、前記第１１シート部は、第３電池セルの上部面に位置し、直接接触しており；
前記単一包装シートの第１２シート部は、第１１シート部から延長されており、前記第１２シート部は、第３電池セルの第１端部に隣接するように位置し、第３電池セルの第１端部を囲んでおり、前記第１２シート部は、第８シート部が第１２シート部と第２電池セルの第１端部の間に位置するように第８シート部にさらに位置し、直接接触し；
前記単一包装シートの第１３シート部は、第１２シート部から延長されており、前記第１３シート部は、第９シート部が第１３シート部と第５シート部の間に位置するように第９シート部にさらに位置し、直接接触していることを特徴とする、電池セルアセンブリー。
【請求項５】
前記単一包装シートは、重合体（polymeric）シートであることを特徴とする、請求項１に記載の電池セルアセンブリー。
【請求項６】
前記重合体シートは、重合体フィルム、重合体メッシュ（mesh）、および重合体織物（fabric）のうちの少なくとも一つであることを特徴とする、請求項５に記載の電池セルアセンブリー。
【請求項７】
前記単一包装シートは、天然繊維（fiber）シートであることを特徴とする、請求項１に記載の電池セルアセンブリー。
【請求項８】
前記天然繊維シートは、天然繊維フィルム、天然繊維メッシュ、および天然繊維織物のうちの少なくとも一つであることを特徴とする、請求項７に記載の電池セルアセンブリー。
【請求項９】
前記単一包装シートは、織布（woven）炭素繊維シート、ポリエステル繊維シート、および金属シートのうちの少なくとも一つであることを特徴とする、請求項１に記載の電池セルアセンブリー。
【請求項１０】
前記第１電池セルは、パウチ型リチウム二次電池であることを特徴とする、請求項１に記載の電池セルアセンブリー。
【発明の詳細な説明】
【技術分野】
【０００１】
本出願は、２０１５年１０月２２日付米国特許出願第１４／９２０，７５０号に基づいた優先権の利益を主張し、当該米国特許出願の文献に開示されたすべての内容は本明細書の一部として組み込まれる。
本発明は、電池セルアセンブリーに関する。
【背景技術】
【０００２】
従来の電池セルアセンブリーは、電池セルを連結するために別途の中間フレーム部材を使用しなければならないため、電池セルアセンブリーの重量が増加し、組み立てが容易でないという問題点があった。
そこで、本発明の発明者らは、電池セルを共に連結するための向上した構造を含む電池セルアセンブリーの必要性を認識した。
【発明の概要】
【発明が解決しようとする課題】
【０００３】
本発明は、従来の技術の問題点と過去から要請されてきた技術的課題を解決することを目的とする。
本出願の発明者らは、深い研究と多様な実験を重ねた結果、電池セルアセンブリーが単一包装シートを含むことによって、電池セルを容易に連結できることを確認した上で、本発明を完成するに至った。
【課題を解決するための手段】
【０００４】
本発明の一つの例示的な実施例による電池セルアセンブリーを提供する。前記電池セルアセンブリーは、上部面（top surface）と下部面（bottom surface）を有する第１電池セル（first battery cell）を含む。前記電池セルアセンブリーは、上部面と下部面を有する第２電池セル（second battery cell）をさらに含む。前記電池セルアセンブリーは、上部面と下部面を有する第３電池セル（thirdbatterycell）をさらに含む。前記電池セルアセンブリーは、第１電池セルに位置し、第１電池セルの上部面と下部面に直接接触する単一包装シート（unitary wrapping sheet）をさらに含む。前記単一包装シートは、単一包装シートが第２電池セルの上部面と下部面に直接接触するように第２電池セルにさらに位置する。前記単一包装シートは、単一包装シートが第３電池セルの上部面と下部面に直接接触するように第３電池セルにさらに位置する。前記単一包装シートは、第１電池セルの上部面、第２電池セルの上部面、および第３電池セルの上部面が互いに実質的に平行に維持され得るように第１電池セル、第２電池セル、および第３電池セルが結合された外周部にさらに位置し、結合された外周部を囲んでいる。
【発明の効果】
【０００５】
本発明による電池セルアセンブリーは、単一包装シートを使用することによって、電池セルの連結が容易であり、電池セルアセンブリーの重量を低減させることができる。
【図面の簡単な説明】
【０００６】
【図１】本発明の一つの例示的な実施例による電池セルの模式図である。
【図２】図１の電池セルアセンブリーの直線２−２による断面模式図である。
【図３】図２の電池セルアセンブリーのシート部の拡大された模式図である。
【図４】図２の電池セルアセンブリーのまた他のシート部の拡大された模式図である。
【図５】図１の電池セルアセンブリーで第１電池セル、第２電池セル、および第３電池セルが設置された単一包装シートの模式図である。
【図６】図５の単一包装シートが第１電池セル、第２電池セル、および第３電池セルを囲む前に単一包装シートのまた他の模式図である。
【図７】本発明のまた他の例示的な実施例による電池セルアセンブリーの模式図である。
【図８】図７の電池セルアセンブリーのまた他の模式図である。
【図９】図７の電池セルアセンブリーの直線９−９による断面模式図である。
【図１０】図９の電池セルアセンブリーのシート部の拡大された模式図である。
【図１１】図９の電池セルアセンブリーのまた他のシート部の拡大された模式図である。
【発明を実施するための形態】
【０００７】
図１乃至６を参照すると、一つの例示的な実施例による電池セルアセンブリー１０が提供される。電池セルアセンブリー１０は、電池セル２０、２２、２４と単一包装シート３０を含む。電池セルアセンブリー１０の利点は、電池セルアセンブリー１０が電池セルに結合される中間フレーム部材を利用せずに電池セル２０、２２、２４のそれぞれに対して互いに実質的に平行な方向に電池セル２０、２２、２４を維持することができるように単一包装シート３０を利用することにある。
【０００８】
電池セル２０は、四角形状外部ハウジング５０、第１電気端子５２、および第２電気端子（図示せず）を含む。四角形状外部ハウジング５０は、第１端部７０、第２端部７２、第３端部７４、および第４端部（図示せず）を含む。第１および第２端部７０、７２は実質的に互いに平行に延長されている。また、第３端部７４と第４端部は実質的に互いに平行であり、第１および第２端部７０、７２と垂直に延長されている。四角形状外部ハウジング５０は、上部面８０と下部面８２をさらに含んでいる。第１電池セル２０の第１電気端子５２と第２電気端子は、四角形状外部ハウジング５０の第３端部７４と第４端部のそれぞれから外部に延長されている。一つの例示的な実施例において、電池セル２０は、リチウムイオンパウチ型電池セルである。また、一つの例示的な実施例において、四角形状外部ハウジング５０は、シートからなるパウチ型四角形状外部ハウジングであり、前記シートは、例えば、アルミニウムからなる金属シートにポリマー（polymer）フィルムをラミネート（laminate）して形成される。
【０００９】
電池セル２２は、四角形状外部ハウジング１５０、第１電気端子１５２、および第２電気端子（図示せず）を含む。四角形状外部ハウジング１５０は、第１端部１７０、第２端部１７２、第３端部１７４、および第４端部（図示せず）を含む。第１および第２端部１７０、１７２は、実質的に互いに平行に延長されている。また、第３端部１７４と第４端部は実質的に互いに平行であり、第１および第２端部１７０、１７２と垂直に延長されている。四角形状外部ハウジング１５０は、上部面１８０と下部面１８２をさらに含んでいる。電池セル２２の第１電気端子１５２と第２電気端子は、四角形状外部ハウジング１５０の第３端部１７４と第４端部のそれぞれから外部に延長されている。一つの例示的な実施例において、電池セル２２はリチウムイオンパウチ型電池セルである。また、一つの例示的な実施例において、四角形状外部ハウジング１５０は、シートからなるパウチ型四角形状外部ハウジングであり、前記シートは、例えばアルミニウムからなる金属シートにポリマーフィルムをラミネートして形成される。
【００１０】
電池セル２４は、四角形状外部ハウジング２５０、第１電気端子２５２、および第２電気端子（図示せず）を含む。四角形状外部ハウジング２５０は、第１端部２７０、第２端部２７２、第３端部２７４、および第４端部（図示せず）を含む。第１および第２端部２７０、２７２は実質的に互いに平行に延長されている。また、第３端部２７４と第４端部は、実質的に互いに平行であり、第１および第２端部２７０、２７２と垂直に延長されている。四角形状外部ハウジング２５０は、上部面２８０と下部面２８２をさらに含んでいる。電池セル２４の第１電気端子２５２と第２電気端子は、四角形状外部ハウジング２５０の第３端部２７４と第４端部のそれぞれから外部に延長されている。一つの例示的な実施例において、電池セル２４はリチウムイオンパウチ型電池セルである。また、一つの例示的な実施例において、四角形状外部ハウジング２５０はシートからなるパウチ型四角形状外部ハウジングであり、前記シートは、例えば、アルミニウムからなる金属シートにポリマーフィルムをラミネートして形成される。
【００１１】
単一包装シート３０は、互いに固定された位置にある電池セル２０、２２、２４を維持するために電池セル２０、２２、２４上に位置する柔軟な（flexible）シートである。例えば、単一包装シート３０を利用して電池セル２０、２２、２４の上部面８０、１８０、１８２のそれぞれは、互いに実質的に平行に維持される。また、単一包装シート３０を利用して電池セル２０、２２、２４の第１端部７０、１７０、２７０のそれぞれは、互いに実質的に同一の平面に維持される。単一包装シート３０は通気性があり、電解液に接触しない。一つの例示的な実施例において、単一包装シート３０は、重合体（polymeric）フィルム、重合体メッシュ（mesh）、および重合体織物（fabric）のうちの少なくとも一つを含む重合体シートである。また他の一つの例示的な実施例において、単一包装シート３０は、天然繊維（fiber）フィルム、天然繊維メッシュ、および天然繊維織物のうちの少なくとも一つを含む天然繊維シートである。また他の一つの例示的な実施例において、単一包装シート３０は、織布（woven）炭素繊維シートおよびポリエステル繊維シートのうちの少なくとも一つである。また他の一つの例示的な実施例において、単一包装シート３０は、柔軟な（flexible）金属シートである。
【００１２】
単一包装シート３０は、電池セル２０の四角形状外装ハウジング５０に位置し、第１電池セル２０の上部面８０と下部面８２に直接接触する。また、単一包装シート３０は、単一包装シート３０が電池セル２２の上部面１８０と下部面１８２に直接接触するように電池セル２２の四角形状外部ハウジング１５０に位置する。また、単一包装シート３０は、単一包装シート３０が電池セル２４の上部面２８０と下部面２８２に直接接触するように電池セル２４に位置する。また、単一包装シート３０は、電池セル２０の上部面８０、電池セル２２の上部面１８０、および電池セル２４の上部面２８０が互いに実質的に平行に維持され得るように電池セル２０、２２、２４が結合された外周部に位置し、結合された外周部を囲んでいる。一つの例示的な実施例において、単一包装シート３０は、実質的に四角形状シートである。
【００１３】
図３および４を参照すると、単一包装シート３０は、第１シート部３０１（first sheet portion）、第２シート部３０２（second sheet portion）、第３シート部３０３（third sheet portion）、第４シート部３０４（fourth sheet portion）、第５シート部３０５（fifth sheet portion）、第６シート部３０６（sixth sheet portion）、第７シート部３０７（seventh sheet portion）、第８シート部３０８（eighth sheet portion）、第９シート部３０９（ninth sheet portion）、第１０シート部３１０（tenth sheet portion）、第１１シート部３１１（eleventh sheet portion）、第１２シート部３１２（twelfth sheet portion）、および第１３シート部３１３（thirteenth sheet portion）を含む。第２シート部３０２は、第１シート部３０１と第３シート部３０３の間に連結されて位置する。第４シート部３０４は、第３シート部３０３と第５シート部３０５の間に連結されて位置する。第６シート部３０６は、第５シート部３０５と第７シート部３０７の間に連結されて位置する。第８シート部３０８は、第７シート部３０７と第９シート部３０９の間に連結されて位置する。第１０シート部３１０は、第９シート部３０９と第１１シート部３１１の間に連結されて位置する。第１２シート部３１２は、第１１シート部３１１と第１３シート部３１３の間に連結されて位置する。
電池セル２０、２２、２４上における単一包装シート３０の位置は後述する。
第１シート部３０１は、電池セル２０の上部面８０に位置し、直接接触する。
第２シート部３０２は、第１シート部３０１から延長されている。第２シート部３０２は、電池セル２０の第１端部７０に隣接するように位置し、電池セル２０の第１端部７０を囲んでいる。
第３シート部３０３は、第２シート部３０２から延長されている。第３シート部３０３は、電池セル２０の下部面８２に位置し、直接接触する。
第４シート部３０４は、第３シート部３０３から延長されている。第４シート部３０４は、電池セル２０の第２端部７２に隣接するように位置し、電池セル２０の第２端部７２を囲んでいる。
第５シート部３０５は、第４シート部３０４から延長されている。第５シート部３０５は、電池セル２０の上部面８０と電池セル２２の下部面１８２に位置し、直接接触する。
第６シート部３０６は、第５シート部３０５から延長されている。第６シート部３０６は、電池セル２２の第１端部１７０に隣接するように位置し、電池セル２２の第１端部１７０を囲んでいる。
第７シート部３０７は、第６シート部３０６から延長されている。第７シート部３０７は、電池セル２２の上部面１８０と電池セル２４の下部面２８２に位置し、直接接触する。
第８シート部３０８は、第７シート部３０７から延長されている。第８シート部３０８は、電池セル２４の第２端部２７２に隣接するように位置し、電池セル２４の第２端部２７２を囲んでいる。
第９シート部３０９は、第８シート部３０８から延長されている。第９シート部３０９は、電池セル２４の上部面２８０に位置し、直接接触する。
第１０シート部３１０は、第９シート３０９部から延長されている。第１０シート部３１０は、電池セル２４の第１端部２７０に隣接するように位置し、電池セル２４の第１端部２７０を囲んでいる。第１０シート部３１０は、第６シート部３０６と第２シート部３０２にさらに対面する。
第１１シート部３１１は、第１０シート部３１０から延長されている。第１１シート部３１１は、第３シート部３０３が第１１シート部３１１と電池セル２０の下部面８２に位置するように第３シート部３０３に位置し、直接接触する。
第１２シート部３１２は、第１１シート部３１１から延長されている。第１２シート部３１２は、第４シート部３０４に対面している。第１２シート部３１２は、電池セル２２の第２端部１７２に隣接するようにさらに位置し、電池セル２２の第２端部１７２をさらに囲んでいる。第１２シート部３１２は、第８シート部３０８にさらに対面する。
第１３シート部３１３は、第１２シート部３１２から延長されている。第１３シート部３１３は、第９シート部３０９が第１３シート部３１３と電池セル２４の上部面２８０の間に位置するように第９シート部３０９に位置し、直接接触する。超音波溶接接合（ultrasonic weld joint）、接着剤（adhesive）、または接着器具（attachment device）のうちの少なくとも一つを利用して、第１３シート部３１３は第９シート部３０９に接着される。
【００１４】
図７乃至１１を参照すると、一つの例示的な実施例による電池セルアセンブリー４１０が提供される。電池セルアセンブリー４１０は、電池セル４２０、４２２、４２４と単一包装シート４３０を含む。電池セルアセンブリー４１０の利点は、電池セルアセンブリー４１０が電池セルに結合される中間フレーム部材を利用せずに電池セル４２０、４２２、４２４のそれぞれに対して実質的に平行な方向に電池セル４２０、４２２、４２４を維持することができるように単一包装シート４３０を利用することにある。その結果、電池セルアセンブリー４１０は、他の電池セルアセンブリーに比べてより軽く、より簡単に組み立てられ得る。
【００１５】
電池セル４２０は、四角形状外部ハウジング４５０、第１電気端子４５２、および第２電気端子４５４を含む。四角形状外部ハウジング４５０は、第１端部４７０、第２端部４７２、第３端部４７４、および第４端部４７６を含む。第１および第２端部４７０、４７２は、実質的に互いに平行に延長されている。また、第３および第４端部４７４、４７６は、実質的に互いに平行であり、第１および第２端部４７０、４７２と垂直に延長されている。四角形状外部ハウジング４５０は、上部面４８０と下部面４８２をさらに含んでいる。第１電気端子４５２と第２電気端子４５４は、四角形状外部ハウジング４５０の第３および４端部４７４、４７６のそれぞれから外部に延長されている。一つの例示的な実施例において、電池セル４２０は、リチウムイオンパウチ型電池セルである。
【００１６】
電池セル４２２は、四角形状外部ハウジング５５０、第１電気端子５５２、および第２電気端子５５４を含む。四角形状外部ハウジング５５０は、第１端部５７０、第２端部５７２、第３端部５７４、および第４端部５７６を含む。第１および第２端部５７０、５７２は、実質的に互いに平行に延長されている。また、第３および第４端部５７４、５７６は、実質的に互いに平行であり、第１および第２端部５７０、５７２と垂直に延長されている。四角形状外部ハウジング５５０は、上部面５８０と下部面５８２をさらに含んでいる。第１電気端子５５２と第２電気端子５５４は、四角形状外部ハウジング１５０の第３および第４端部５７４、５７６のそれぞれから外部に延長されている。一つの例示的な実施例において、電池セル４２２は、リチウムイオンパウチ型電池セルである。
【００１７】
電池セル４２４は、四角形状外部ハウジング６５０、第１電気端子６５２、および第２電気端子６５４を含む。四角形状外部ハウジング６５０は、第１端部６７０、第２端部６７２、第３端部６７４、および第４端部６７６を含む。第１および第２端部６７０、６７２は、実質的に互いに平行に延長されている。また、第３および第４端部６７４、６７６は、実質的に互いに平行であり、第１および第２端部６７０、６７２と垂直に延長されている。四角形状外部ハウジング６５０は、上部面６８０と下部面６８２をさらに含んでいる。第１電気端子６５２と第２電気端子６５４は、四角形状外部ハウジング２５０の第３および第４端部６７４、６７６のそれぞれから外部に延長されている。一つの例示的な実施例において、電池セル４２４は、リチウムイオンパウチ型電池セルである。
【００１８】
単一包装シート４３０は、互いに固定された位置にある電池セル４２０、４２２、４２４を維持するために電池セル４２０、４２２、４２４上に位置する柔軟なシートである。例えば、単一包装シート４３０を利用して電池セル４２０、４２２、４２４の上部面４８０、５８０、６８０のそれぞれは、互いに実質的に平行に維持される。また、単一包装シート４３０を利用して電池セル４２０、４２２、４２４の第１端部４７０、５７０、６７０のそれぞれは、互いに実質的に同一の平面に維持される。また、単一包装シート４３０を利用して電池セル４２０、４２２、４２４の第２端部４７２、５７２、６７２のそれぞれは、互いに実質的に同一の平面に維持される。単一包装シート４３０は通気性があり、電解液に接触しない。一つの例示的な実施例において、単一包装シート４３０は、重合体フィルム、重合体メッシュ、および重合体織物のうちの少なくとも一つを含む重合体シートである。また他の一つの例示的な実施例において、単一包装シート４３０は、天然繊維フィルム、天然繊維メッシュ、および天然繊維織物のうちの少なくとも一つを含む天然繊維シートである。また他の一つの例示的な実施例において、単一包装シート４３０は、織布炭素繊維シートおよびポリエステル繊維シートのうちの少なくとも一つである。また他の一つの例示的な実施例において、単一包装シート４３０は、柔軟な金属シートである。
【００１９】
単一包装シート４３０は、電池セル４２０の四角形状外装ハウジング４５０に位置し、電池セル４２０の上部面４８０と下部面４８２に直接接触する。また、単一包装シート４３０は、単一包装シート４３０が電池セル４２２の上部面５８０と下部面５８２に直接接触するように電池セル４２２の四角形状外部ハウジング５５０に位置する。また、単一包装シート４３０は、単一包装シート４３０が電池セル４２４の上部面６８０と下部面６８２に直接接触するように電池セル４２４に位置する。また、単一包装シート４３０は、電池セル４２０の上部面４８０、電池セル４２２の上部面５８０、および電池セル４２４の上部面６８０が互いに実質的に平行に維持され得るように電池セル４２０、４２２、４２４が結合された外周部に位置し、結合された外周部を囲んでいる。一つの例示的な実施例において、単一包装シート４３０は、実質的に四角形状シートである。
【００２０】
図１０および図１１を参照すると、単一包装シート４３０は、第１シート部７０１、第２シート部７０２、第３シート部７０３、第４シート部７０４、第５シート部７０５、第６シート部７０６、第７シート部７０７、第８シート部７０８、第９シート部７０９、第１０シート部７１０、第１１シート部７１１、第１２シート部７１２、および第１３シート部７１３を含む。第２シート部７０２は、第１シート部７０１と第３シート部７０３の間に連結されて位置する。第４シート部７０４は、第３シート部７０３と第５シート部７０５の間に連結されて位置する。第６シート部７０６は、第５シート部７０５と第７シート部７０７の間に連結されて位置する。第８シート部７０８は、第７シート部７０７と第９シート部７０９の間に連結されて位置する。第１０シート部７１０は、第９シート部７０９と第１１シート部７１１の間に連結されて位置する。第１２シート部７１２は、第１１シート部７１１と第１３シート部７１３の間に連結されて位置する。
【００２１】
電池セル４２０、４２２、４２４上における単一包装シート４３０の位置は後述する。
第１シート部７０１は、電池セル４２０の下部面４８２に位置し、直接接触する。
第２シート部７０２は、第１シート部７０１から延長されている。第２シート部７０２は、電池セル４２０の第２端部４７２に隣接するように位置し、電池セル４２０の第２端部４７２を囲んでいる。
第３シート部７０３は、第２シート部７０２から延長されている。第３シート部７０３は、電池セル４２０の上部面４８０に位置し、直接接触する。
第４シート部７０４は、第３シート部７０３から延長されている。第４シート部７０４は、電池セル４２０の第１端部４７０に隣接するように位置し、電池セル４２０の第１端部４７０を囲んでいる。
第５シート部７０５は、第４シート部７０４から延長されている。第５シート部７０５は、電池セル４２０の下部面４８２と第１シート部７０１に位置し、直接接触する。
第６シート部７０６は、第５シート部７０５から延長されている。第６シート部７０６は、第２シート部７０２が第６シート部７０６と電池セル４２０の第２端部４７２の間に位置するように第２シート部７０２に対面している。第６シート部は、電池セル４２２の第２端部５７２に隣接するように位置し、電池セル４２２の第２端部５７２を囲んでいる。
第７シート部７０７は、第６シート部７０６から延長されている。第７シート部７０７は、電池セル４２２の上部面５８０と電池セル４２４の下部面６８２に位置し、直接接触する。
第８シート部７０８は、第７シート部７０７から延長されている。第８シート部７０８は、電池セル４２２の第１端部５７０に隣接するように位置し、電池セル４２２の第１端部５７０を囲んでいる。第８シート部７０８は、第４シート部７０４が第８シート部７０８と電池セル４２０の第１端部４７０の間に位置するように第４シート部７０４に対面する。
第９シート部７０９は、第８シート部７０８から延長されている。第９シート部７０９は、第５シート部７０５が第９シート部７０９と電池セル４２０の下部面４８２の間に位置するように第５シート部７０５に位置し、直接接触する。
第１０シート部７１０は、第９シート７０９部から延長されている。第１０シート部７１０は、第６シート部７０６が第１０シート部７１０と第２シート部７０２の間に位置するように第６シート部７０６に位置し、直接接触する。第１０シート部７１０は、電池セル４２４の第２端部６７２に隣接するように位置し、電池セル４２４の第２端部６７２をさらに囲んでいる。
第１１シート部７１１は、第１０シート部７１０から延長されている。第１１シート部７１１は、電池セル４２４の上部面６８０に位置し、直接接触する。
第１２シート部７１２は、第１１シート部７１１から延長されている。第１２シート部７１２は、電池セル４２４の第１端部６７０に隣接するように位置し、電池セル４２４の第１端部６７０を囲んでいる。第１２シート部７１２は、第８シート部７０８が第１２シート部７１２と電池セル４２２の第１端部５７０の間に位置するように第８シート部７０８に位置し、直接接触している。
第１３シート部７１３は、第１２シート部７１２から延長されている。第１３シート部７１３は、第９シート部７０９が第１３シート部７１３と第５シート部７０５の間に位置するように第９シート部７０９にさらに位置し、直接接触する。超音波溶接接合、接着剤、または接着器具のうちの少なくとも一つを利用して、第１３シート部７１３は第９シート部７０９に接着される。
【００２２】
ここで記述された電池セルアセンブリーは、他の電池セルアセンブリーに比べて実質的な利点を提供する。具体的に、前記電池セルアセンブリーの利点は、それぞれの電池セルアセンブリーが電池セルに結合される中間フレーム部材を利用せずに電池セルのそれぞれに対して実質的に平行な方向に電池セルを維持することができるように単一包装シートを利用することにある。その結果、ここで記述された電池セルアセンブリーは、他の電池セルアセンブリーに比べてより軽く、より簡単に組み立てられ得る。
【００２３】
本発明が制限された数の実施例のみに関係して詳細に説明されたとしても、本発明がかかる実施例に制限されないという点は自明である。また、本発明はここで説明されない変形、改造、置換または同等な配列を合体して改良可能であり、それらは本発明の思想と範囲内である。また、本発明の多様な実施例が説明される場合、本発明はかかる実施例を含み得ることは自明である。したがって、本発明は、ここで前述した説明により制限されない。
【産業上の利用可能性】
【００２４】
以上で説明したとおり、本発明による電池セルアセンブリーは、単一包装シートを使用することによって、電池セルの連結が容易であり、電池セルアセンブリーの重量を低減することができるという効果がある。
【符号の説明】
【００２５】
１０…電池セルアセンブリー
２０、２２、２４…電池セル
３０…単一包装シート
５０、１５０、２５０…四角形状外部ハウジング
７０、１７０、２７０…第１端部
７２、１７２、２７２…第２端部
７４、１７４、２７４…第３端部
５２、１５２、２５２…第１電気端子
８０、１８０、２８０…上部面
８２、１８２、２８２…下部面
３０１、３０２、３０３、３０４、３０５、３０６、３０７、３０８、３０９、３１０、３１１、３１２、３１３…第１、第２、第３、第４、第５、第６、第７、第８、第９、第１０、第１１、第１２、第１３シート
【図１】
0006562580.tif 000002
【図２】
0006562580.tif 000003
【図３】
0006562580.tif 000004
【図４】
0006562580.tif 000005
【図５】
0006562580.tif 000006
【図６】
0006562580.tif 000007
【図７】
0006562580.tif 000008
【図８】
0006562580.tif 000009
【図９】
0006562580.tif 000010
【図１０】
0006562580.tif 000011
【図１１】
0006562580.tif 000012